(57)【要約】【課題】所定モジュールに沿って形成した室内を、容易に間仕切る。【解決手段】左右の躯体柱１２の中心間距離Ｍを所定モジュールの整数Ｘ倍とし、躯体柱１２の室内側にボード１３を配した構造壁１１によって形成した室内１０を、Ａパネル１、Ｂパネル２、Ｃパネル３、Ｄパネル４および間柱５によって間仕切る。室内１０を左右方向に直線状に間仕切るには、整数Ｘから１を引いた数のＡパネル１と、１枚のＣパネル３を左右方向に直列状に並べる。段差状に間仕切るには、２本の間柱５を所定位置に前後方向に２本立設し、第一の間柱５ａと一方のボード１３との間にＢパネル２とα（α≦前記整数−２）枚のＡパネル１を左右方向に並べ、第二の間柱５ｂと他方側のボード１３との間に、Ｂパネル２とβ（β＝前記整数−２−α）枚のＡパネル１を左右方向に直列状に並べ、第一の間柱５ａと第二の間柱５ｂの間に、Ｄパネル４を２枚並列状に並べる。【選択図】      図１
2005290779.tif 000002
【特許請求の範囲】
【請求項１】
左右に立設した躯体柱の中心間の距離を所定モジュールの整数倍とし、少なくとも前記躯体柱の室内側にボードを配して構成した構造壁によって形成される室内を、複数のパネルによって間仕切りする方法であって、
前記所定モジュールと等しい長さと、所定の基準肉厚を有するＡパネルと、
前記所定モジュールから、前記躯体柱の左右方向の基準肉厚と、前記ボードの基準肉厚と、第一クリア寸法を減算した長さを有するＢパネルと、
前記所定モジュールから、前記躯体柱の左右方向の基準肉厚と、前記ボードの基準肉厚の２倍の長さと、第二クリア寸法を減算した長さを有するＣパネルと、
所定の長さと、前記Ａパネルの基準肉厚と等しい肉厚を有するＤパネルと、
前記躯体柱の左右方向の基準肉厚と等しい左右方向の肉厚と、前記Ａパネルの基準肉厚と等しい前後方向の肉厚を有する間柱と、を揃え、
前記室内を左右方向に直線状に間仕切りするには、
前記整数から１を引いた数のＡパネルと、１枚のＣパネルからなる組み合わせを左右方向に直列状に並べて固定し、
前記室内を左右方向に段差を設けて間仕切りするには、
前記間柱のうち、第一の間柱と第二の間柱を、前記室内の所定位置に前後方向に２本立設する工程と、前記第一の間柱と左右一方側のボードとの間に、前記Ｂパネルとα（α≦前記整数−２）枚のＡパネルを左右方向に並べる工程と、前記第二の間柱と他方側のボードとの間に、前記Ｂパネルとβ（β＝前記整数−２−α）枚のＡパネルを左右方向に直列状に並べる工程と、前記第一の間柱と第二の間柱の間に、前記Ｄパネルを前後方向に、２枚並列状に並べる工程を行って、固定してなることを特徴とする室内の間仕切り方法。
【請求項２】
左右に立設した躯体柱の中心間の距離を所定モジュールの半分の奇数倍とし、少なくとも前記躯体柱の室内側にボードを配して構成した構造壁によって形成される室内を、複数のパネルによって間仕切りする方法であって、
前記所定モジュールと等しい長さと、所定の基準肉厚を有するＡパネルと、
前記所定モジュールから、前記躯体柱の左右方向の基準肉厚と、前記ボードの基準肉厚と、第一クリア寸法を減算した長さを有するＢパネルと、
所定の長さと、前記Ａパネルの基準肉厚と等しい肉厚を有するＤパネルと、
前記所定モジュールの半分から、前記躯体柱の左右方向の基準肉厚と、前記ボードの基準肉厚の長さと、第一クリア寸法を減算した長さを有するＥパネルと、
前記所定モジュールの半分から、前記躯体柱の左右方向の基準肉厚と、前記ボードの基準肉厚の２倍の長さと、第二クリア寸法を減算した長さを有するＦパネルと、
前記躯体柱の左右方向の基準肉厚と等しい左右方向の肉厚と、前記Ａパネルの基準肉厚と等しい前後方向の肉厚を有する間柱と、を揃え、
前記室内を左右方向に直線状に間仕切りするには、
前記奇数から１を引いて２で割った数のＡパネルと、１枚のＦパネルからなる組み合わせを左右方向に直列状に並べて固定し、
前記室内を左右方向に段差を設けて間仕切りするには、
前記間柱のうち、第一の間柱と第二の間柱を、前記室内の所定位置に前後方向に２本立設する工程と、前記第一の間柱と左右一方側のボードとの間に、前記Ｂパネルとα（α≦（前記奇数−３）×１／２）枚のＡパネルを左右方向に並べる工程と、前記第二の間柱と他方側のボードとの間に、前記Ｅパネルとβ（β＝（前記奇数−３）×１／２−α）枚のＡパネルを左右方向に直列状に並べる工程と、前記第一の間柱と第二の間柱の間に、前記Ｄパネルを前後方向に、２枚並列状に並べる工程を行って、固定してなることを特徴とする室内の間仕切り方法。
【請求項３】
左右に立設した躯体柱の中心間の距離を所定モジュールの奇数倍とし、少なくとも前記躯体柱の室内側にボードを配して構成した構造壁によって形成される室内を、複数のパネルによって間仕切りする方法であって、
前記所定モジュールと等しい長さと、所定の基準肉厚を有するＡパネルと、
前記所定モジュールから、前記躯体柱の左右方向の基準肉厚と、前記ボードの基準肉厚の２倍の長さと、第二クリア寸法を減算した長さを有するＣパネルと、
所定の長さと、前記Ａパネルの基準肉厚と等しい肉厚を有するＤパネルと、
前記所定モジュールの半分から、前記躯体柱の左右方向の基準肉厚と、前記ボードの基準肉厚の長さと、第一クリア寸法を減算した長さを有するＥパネルと、
前記躯体柱の左右方向の基準肉厚と等しい左右方向の肉厚と、前記Ａパネルの基準肉厚と等しい前後方向の肉厚を有する間柱と、を揃え、
前記室内を左右方向に直線状に間仕切りするには、
前記奇数から１を引いた数のＡパネルと、１枚のＣパネルからなる組み合わせを左右方向に直列状に並べて固定し、
前記室内を左右方向に段差を設けて間仕切りするには、
前記間柱のうち、第一の間柱と第二の間柱を、前記室内の所定位置に前後方向に２本立設する工程と、前記第一の間柱と左右一方側のボードとの間に、前記Ｅパネルとα（α≦（前記奇数−１）枚のＡパネルを左右方向に並べる工程と、前記第二の間柱と他方側のボードとの間に、前記Ｅパネルとβ（β＝（前記奇数−１−α）枚のＡパネルを左右方向に直列状に並べる工程と、前記第一の間柱と第二の間柱の間に、前記Ｄパネルを前後方向に、２枚並列状に並べる工程を行って、固定してなることを特徴とする室内の間仕切り方法。
【請求項４】
前記所定モジュールが９１０ｍｍの場合に、前記Ａパネルの長さを９１０ｍｍとしてなることを特徴とする請求項１乃至３のうちいずれか一つに記載の室内の間仕切り方法。
【請求項５】
前記所定モジュールが１０００ｍｍの場合に、前記Ａパネルの長さを１０００ｍｍとしてなることを特徴とする請求項１乃至３のうちいずれか一つに記載の室内の間仕切り方法。
【発明の詳細な説明】
【技術分野】
【０００１】
本発明は、所定のモジュールに沿って形成した室内を、パネルによって容易に間仕切りすることのできる方法に関するものである。
【背景技術】
【０００２】
一般に、建物の室内を間仕切りする場合は、現場において、作業者が室内の寸法を測定し、その測定値に従って壁材を準備して取付けている。こうした作業は、所定のモジュールに沿って形成された室内を間仕切りする場合にも同様に行われている。
【発明の開示】
【発明が解決しようとする課題】
【０００３】
しかしながら、現場において、作業者が室内の寸法を測定して壁材を準備し、それを取付けるといった作業はきわめて厄介であり、非経済的である。特に、所定のモジュールに沿って形成された室内においては、そのモジュールに沿った方法の出現が望まれる。
【０００４】
そこで、本発明の目的とするところは、所定のモジュールに沿って形成された室内を、容易に間仕切りする方法を提供することにある。
【課題を解決するための手段】
【０００５】
上記の目的を達成するために、本発明の請求項１に記載の室内の間仕切り方法は、左右に立設した躯体柱（１２）の中心間の距離（Ｍ）を所定モジュールの整数（Ｘ）倍とし、少なくとも前記躯体柱（１２）の室内側にボード（１３）を配して構成した構造壁（１１）によって形成される室内（１０）を、複数のパネルによって間仕切りする方法であって、前記所定モジュールと等しい長さ（Ｌ1）と、所定の基準肉厚（Ｔ1）を有するＡパネル（１）と、前記所定モジュールから、前記躯体柱（１２）の左右方向の基準肉厚（Ｔ12）と、前記ボード（１３）の基準肉厚（Ｔ13）と、第一クリア寸法を減算した長さ（Ｌ2）を有するＢパネル（２）と、前記所定モジュールから、前記躯体柱（１２）の左右方向の基準肉厚（Ｔ12）と、前記ボード（１３）の基準肉厚（Ｔ13）の２倍の長さと、第二クリア寸法を減算した長さ（Ｌ3）を有するＣパネル（３）と、所定の長さ（Ｌ4）と、前記Ａパネル（１）の基準肉厚（Ｔ1）と等しい肉厚（Ｔ4）を有するＤパネル（４）と、前記躯体柱（１２）の左右方向の基準肉厚（Ｔ12）と等しい左右方向の肉厚（Ｌ5）と、前記Ａパネル（１）の基準肉厚（Ｔ1）と等しい前後方向の肉厚（Ｔ5）を有する間柱（５）と、を揃え、
前記室内（１０）を左右方向に直線状に間仕切りするには、前記整数（Ｘ）から１を引いた数のＡパネル（１）と、１枚のＣパネル（３）からなる組合わせを左右方向に直列状に並べて固定し、
前記室内（１０）を左右方向に段差を設けて間仕切りするには、前記間柱（５）のうち、第一の間柱（５ａ）と第二の間柱（５ｂ）を、前記室内（１０）の所定位置に前後方向に２本立設する工程と、前記第一の間柱（５ａ）と左右一方側のボード（１３）との間に、前記Ｂパネル（２）とα（α≦前記整数−２）枚のＡパネル（１）を左右方向に並べる工程と、前記第二の間柱（５ｂ）と他方側のボード（１３）との間に、前記Ｂパネル（２）とβ（β＝前記整数−２−α）枚のＡパネル（１）を左右方向に直列状に並べる工程と、前記第一の間柱（５ａ）と第二の間柱（５ｂ）の間に、前記Ｄパネル（４）を前後方向に、２枚並列状に並べる工程を行い、固定してなることを特徴とする。
【０００６】
また本発明の請求項２に記載の室内の間仕切り方法は、左右に立設した躯体柱（１２）の中心間の距離（Ｍ）を所定モジュールの半分の奇数倍とし、少なくとも前記躯体柱（１２）の室内側にボード（１３）を配して構成した構造壁（１１）によって形成される室内（１０）を、複数のパネルによって間仕切りする方法であって、前記所定モジュールと等しい長さ（Ｌ1）と、所定の基準肉厚（Ｔ1）を有するＡパネル（１）と、前記所定モジュールから、前記躯体柱（１２）の左右方向の基準肉厚（Ｔ12）と、前記ボード（１３）の基準肉厚（Ｔ13）と、第一クリア寸法を減算した長さ（Ｌ2）を有するＢパネル（２）と、所定の長さ（Ｌ4）と、前記Ａパネル（１）の基準肉厚（Ｔ1）と等しい肉厚（Ｔ4）を有するＤパネル（４）と、前記所定モジュールの半分から、前記躯体柱（１２）の左右方向の基準肉厚（Ｔ12）と、前記ボード（１３）の基準肉厚（Ｔ13）と、第一クリア寸法を減算した長さを有するＥパネルと、前記所定モジュールの半分から、前記躯体柱（１２）の左右方向の基準肉厚（Ｔ12）と、前記ボード（１３）の基準肉厚（Ｔ13）の２倍の長さと、第二クリア寸法を減算した長さを有するＦパネルと、前記躯体柱（１２）の左右方向の基準肉厚（Ｔ12）と等しい左右方向の肉厚（Ｌ5）と、前記Ａパネル（１）の基準肉厚（Ｔ1）と等しい前後方向の肉厚（Ｔ5）を有する間柱（５）と、を揃え、
前記室内（１０）を左右方向に直線状に間仕切りするには、前記奇数から１を引いて２で割った数のＡパネル（１）と、１枚のＦパネルからなる組合わせを左右方向に直列状に並べて固定し、
前記室内（１０）を左右方向に段差を設けて間仕切りするには、前記間柱（５）のうち、第一の間柱（５ａ）と第二の間柱（５ｂ）を、前記室内（１０）の所定位置に前後方向に２本立設する工程と、前記第一の間柱（５ａ）と左右一方側のボード（１３）との間に、前記Ｂパネル（２）とα（α≦（前記奇数−３）×１／２）枚のＡパネルを左右方向に並べる工程と、前記第二の間柱（５ｂ）と他方側のボード（１３）との間に、前記Ｅパネルとβ（β＝（前記奇数−３）×１／２−α）枚のＡパネル（１）を左右方向に直列状に並べる工程と、前記第一の間柱（５ａ）と第二の間柱（５ｂ）の間に、前記Ｄパネル（４）を前後方向に、２枚並列状に並べる工程を行い、固定してなることを特徴とする。
【０００７】
さらに本発明の請求項３に記載の室内の間仕切り方法は、左右に立設した躯体柱（１２）の中心間の距離（Ｍ）を所定モジュールの奇数倍とし、少なくとも前記躯体柱（１２）の室内側にボード（１３）を配して構成した構造壁（１１）によって形成される室内（１０）を、複数のパネルによって間仕切りする方法であって、前記所定モジュールと等しい長さ（Ｌ1）と、所定の基準肉厚（Ｔ1）を有するＡパネル（１）と、前記所定モジュールから、前記躯体柱（１２）の左右方向の基準肉厚（Ｔ12）と、前記ボード（１３）の基準肉厚（Ｔ13）の２倍の長さと、第二クリア寸法を減算した長さ（Ｌ3）を有するＣパネル（３）と、所定の長さ（Ｌ4）と、前記Ａパネル（１）の基準肉厚（Ｔ1）と等しい肉厚（Ｔ4）を有するＤパネル（４）と、前記所定モジュールの半分から、前記躯体柱（１２）の左右方向の基準肉厚（Ｔ12）と、前記ボード（１３）の基準肉厚（Ｔ13）と、第一クリア寸法を減算した長さを有するＥパネルと、前記躯体柱（１２）の左右方向の基準肉厚（Ｔ12）と等しい左右方向の肉厚（Ｌ5）と、前記Ａパネル（１）の基準肉厚（Ｔ1）と等しい前後方向の肉厚（Ｔ5）を有する間柱（５）と、を揃え、
前記室内（１０）を左右方向に直線状に間仕切りするには、前記奇数から１を引いた数のＡパネル（１）と、１枚のＣパネルからなる組合わせを左右方向に直列状に並べて固定し、
前記室内（１０）を左右方向に段差を設けて間仕切りするには、前記間柱（５）のうち、第一の間柱（５ａ）と第二の間柱（５ｂ）を、前記室内（１０）の所定位置に前後方向に２本立設する工程と、前記第一の間柱（５ａ）と左右一方側のボード（１３）との間に、前記Ｅパネルとα（α≦（前記奇数−１）枚のＡパネル（１）を左右方向に並べる工程と、前記第二の間柱（５ｂ）と他方側のボード（１３）との間に、前記Ｅパネルとβ（β＝（前記奇数−１−α）枚のＡパネル（１）を左右方向に直列状に並べる工程と、前記第一の間柱（５ａ）と第二の間柱（５ｂ）の間に、前記Ｄパネル（４）を前後方向に、２枚並列状に並べる工程を行い、固定してなることを特徴とする。
【０００８】
また、請求項４に記載の発明は、前記所定モジュールが９１０ｍｍの場合に、前記Ａパネル（１）の長さ（Ｌ１）を９１０ｍｍとしてなることを特徴とする。
【０００９】
さらに、請求項５に記載の発明は、前記所定モジュールが１０００ｍｍの場合に、前記Ａパネル（１）の長さ（Ｌ１）を１０００ｍｍとしてなることを特徴とする。
【００１０】
なお、カッコ内の記号は、図面および後述する発明を実施するための最良の形態に記載された対応要素または対応事項を示す。
【発明の効果】
【００１１】
本発明の請求項１乃至３に記載の室内の間仕切り方法によれば、所定モジュールに沿って形成された室内を、そのモジュールに対応して製造した複数種のパネルおよび間柱を並べて固定することによって、隙間を形成することなく正確に間仕切ることができる。従って、現場での作業が容易となり、経済的である。
【００１２】
また、室内を段差を設けて間仕切りし、そこにクローゼットや押入等の専用空間部を設けるために、開口部材や棚等収納部材を設置する場合には、躯体柱に対応した寸法の間柱と２枚のＤパネルを使用することにより、どの専用空間部も所定モジュールを基準とした寸法になっているので、特注品ではなく従来からある既製品で対応できる。従って、設置部材の生産、調達が容易となり、経済的である。
さらに、モジュールに沿って間仕切りを行うので、各パネルの上端部を、同じくモジュールに沿って製造したランナーによって固定することができる。従って、現場での作業がさらに容易となり、経済性がより向上する。
【００１３】
また、請求項４および請求項５に記載の発明によれば、請求項１に記載の発明の作用効果に加えて、それぞれ、複数種のパネルと間柱を、通常使用されるモジュールの寸法である９１０ｍｍと１０００ｍｍの寸法に対応して、あらかじめ工場で製造することができるので、工場での製造作業がより明確となり、作業性がさらに向上する。
【発明を実施するための最良の形態】
【００１４】
図１および図２を参照して、本発明の実施形態に係る室内の間仕切り方法について説明する。図１は、左右方向に直線状に間仕切りした室内１０を示す部分平面図であり、図２は、左右方向に段差を設けて間仕切りした室内１０を示す部分平面図である。
【００１５】
これは、９１０ｍｍの所定モジュールに従い、左右に対向して立設した躯体柱１２の中心間の距離Ｍを所定モジュールの整数Ｘ倍（３倍）とし（従って、２７３０ｍｍ）、躯体柱１２の室内側にボード１３を配して構成した構造壁１１によって形成される室内１０を間仕切りする方法である。なお躯体柱１２の室外側にもボード等が配置されている。
【００１６】
この方法では、まず工場で、Ａパネル１、Ｂパネル２、Ｃパネル３、Ｄパネル４および間柱５を製造しておく。
【００１７】
ここで、Ａパネル１は、前記所定モジュールと等しい長さＬ1（９１０ｍｍ）と、所定の基準肉厚Ｔ1（４５ｍｍ）を有するものとする。
Ｂパネル２は、所定モジュールから、躯体柱１２の左右方向の基準肉厚Ｔ12（１０５ｍｍ）と、ボード１３の基準肉厚Ｔ13（１２．５ｍｍ）と、第一クリア寸法（２．５ｍｍ）を減算した長さＬ2（７９０ｍｍ）を有するものとする（９１０−１０５−１２．５−２．５＝７９０）。
Ｃパネル３は、所定モジュールから、躯体柱１２の左右方向の基準肉厚Ｔ12（１０５ｍｍ）と、ボード１３の基準肉厚Ｔ13の２倍の長さＬ３（１２．５×２）と、第二クリア寸法（３ｍｍ）を減算した長さＬ3（７７７ｍｍ）を有するものとする（９１０−１０５−１２．５×２−３＝７７７）。
【００１８】
Ｄパネル４は、所定の長さＬ4（８６２ｍｍ）と、Ａパネル１の基準肉厚Ｔ1と等しい肉厚Ｔ4（４５ｍｍ）を有するものとする。本実施形態においては、所定モジュールから、Ａパネル１の基準肉厚Ｔ1と、第二クリア寸法を減算した長さＬ4に設定している（９１０−４５−３＝８６２）。
また、間柱５は、躯体柱１２の基準肉厚Ｔ12と等しい左右方向の肉厚Ｌ5（１０５ｍｍ）と、Ａパネル１の基準肉厚Ｔ1と等しい前後方向の肉厚Ｔ5（４５ｍｍ）を有するものとする。
【００１９】
そして、室内１０を、図１に示すように、左右方向に直線状に間仕切りするには、整数Ｘ（本実施形態では３）から１を引いた数（すなわち２枚）のＡパネル１と、１枚のＣパネル３を左右方向に直列状に並べて固定する。
【００２０】
この場合、室内１０の左右幅は２６００ｍｍである（９１０×３−５２．５×２−１２．５×２＝２６００）。そして、２枚のＡパネル１と１枚のＣパネル３に第二クリア寸法を加算すると２６００ｍｍとなり（９１０×２＋７７７＋３＝２６００）、当該室内１０は、これらの工場生産されたパネルによって正確に間仕切られることが分かる。
【００２１】
なお、室内１０を左右方向に直線状に仕切るには、整数Ｘが本実施形態における３以外であっても、整数Ｘから１を引いた数（Ｘ−１）のＡパネル１と、１枚のＣパネル３によって行うことができる。例えば、図３に示すように、左右の躯体柱１２の中心間の距離Ｍを、所定モジュールの２倍とした場合には、１枚のＡパネル（２−１＝１）と、同じく１枚のＣパネルで間仕切りすることができる。同様に、整数Ｘが４のときは３枚のＡパネル１と１枚のＣパネル３、５のときは４枚のＡパネル１と１枚のＣパネル３を使用する。
【００２２】
また、室内１０を、図２に示すように、クローゼットや押入等の専用空間部２０を形成するために、左右方向に段差を設けて間仕切りするには、以下の工程を順次または順不同に行う。その工程とは、前記間柱５のうち、第一の間柱５ａと第二の間柱５ｂを、室内１０の所定位置に前後方向に２本立設する工程、第一の間柱５ａと右側のボード１３との間にＢパネル２とα（α≦前記整数−２）枚、ここでは整数が３より１枚のＡパネルを左右方向に並べる工程、第二の間柱５ｂと左側のボード１３との間に、Ｂパネル２とβ（β＝前記整数−２−α）枚、ここでは整数が３より０枚のＡパネル１を左右方向に直列状に並べる工程、そして、第一の間柱５ａと第二の間柱５ｂの間に、Ｄパネル４を前後方向に、２枚並列状に並べる工程である。２枚のＤパネル４は左右に並べられる。なお、全てのパネル１，２，４および間柱５は強固に固定する。
【００２３】
この場合、室内１０の寸法は前記した如く２６００ｍｍである。そして、１枚のＡパネル１と２枚のＢパネル２と間柱５の左右の肉厚Ｌ５に第一クリア寸法を加えると２６００ｍｍとなり（９１０＋７９０×２＋１０５＋２．５×２＝２６００ｍｍ）、当該室内１０は、これらの工場生産されたパネル１，２と間柱５によって隙間なく正確に間仕切られることが分かる。
【００２４】
なお、室内１０を左右方向に段差を設けて間仕切りするには、整数Ｘが本実施形態における３以外であっても、整数Ｘから２を引いた数（Ｘ−２）のＡパネル１と、２枚のＢパネル２と、２枚のＤパネル４と、２本の間柱５（５ａ，５ｂ）によって行うことができる。同様に、整数Ｘが４のときのＡパネル１の数は２枚であり、５のときはＡパネル１の数は３枚となる。
【００２５】
こうした本実施形態に係る室内の間仕切り方法では、所定モジュールに沿って形成された室内１０を、そのモジュールに対応して工場で製造した複数種のパネルおよび間柱５を並べて固定することによって、隙間を形成することなく正確かつ容易に間仕切ることができる。従って、現場での作業が簡素化され、経済性が向上する。
【００２６】
また、室内１０を段差を設けて間仕切りし、そこにクローゼットや押入等の専用空間部を設けるために、開口部材や棚等収納部材を設置する場合には、躯体柱に対応した寸法の間柱と２枚のＤパネル４を使用することにより、どの専用空間部も所定モジュールを基準とした寸法になっているので、特注品ではなく従来からある既製品で対応できる。従って、設置部材の生産、調達が容易となり、経済的である。
さらに、モジュールに沿って間仕切りを行うので、各パネルの上端部を、同じくモジュールに沿って製造したランナーによって固定することができる。従って、現場での作業がさらに容易となり、経済性がより向上する。
【００２７】
なお、ここでは、９１０ｍｍの所定モジュールに従い、左右に対向して立設した躯体柱１２の中心間の距離Ｍを所定モジュールの整数Ｘ倍（３倍）とし（従って、２７３０ｍｍ）、躯体柱１２の室内側にボード１３を配して構成した構造壁１１によって形成される室内１０を間仕切る方法について説明したが、例えば、左右に対向して立設した躯体柱１２の中心間の距離Ｍを所定モジュールの２．５倍等、所定モジュールの半分の奇数倍とした場合には、前記所定モジュールと等しい長さＬ1と、所定の基準肉厚Ｔ1を有するＡパネル１と、前記所定モジュールから、前記躯体柱１２の左右方向の基準肉厚Ｔ12と、前記ボード１３の基準肉厚Ｔ13と、第一クリア寸法を減算した長さＬ2を有するＢパネル２と、所定の長さＬ4と、前記Ａパネル１の基準肉厚Ｔ1と等しい肉厚Ｔ4を有するＤパネル４と、前記所定モジュールの半分から、前記躯体柱１２の左右方向の基準肉厚Ｔ12と、前記ボード１３の基準肉厚Ｔ13と、第一クリア寸法を減算した長さを有するＥパネルと、前記所定モジュールの半分から、前記躯体柱１２の左右方向の基準肉厚Ｔ12と、前記ボード１３の基準肉厚Ｔ13の２倍の長さと、第二クリア寸法を減算した長さを有するＦパネルと、前記躯体柱１２の左右方向の基準肉厚Ｔ12と等しい左右方向の肉厚Ｌ5と、前記Ａパネル１の基準肉厚Ｔ1と等しい前後方向の肉厚Ｔ5を有する間柱５と、を揃え、
前記室内１０を左右方向に直線状に間仕切りするには、前記奇数から１を引いて２で割った数のＡパネル１と、１枚のＦパネルからなる組合わせを左右方向に直列状に並べて固定し、
前記室内１０を左右方向に段差を設けて間仕切りするには、前記間柱５のうち、第一の間柱５ａと第二の間柱５ｂを、前記室内１０の所定位置に前後方向に２本立設する工程と、前記第一の間柱５ａと左右一方側のボード１３との間に、前記Ｂパネル２とα（α≦（前記奇数−３）×１／２）枚のＡパネルを左右方向に並べる工程と、前記第二の間柱５ｂと他方側のボード１３との間に、前記Ｅパネルとβ（β＝（前記奇数−３）×１／２−α）枚のＡパネル１を左右方向に直列状に並べる工程と、前記第一の間柱５ａと第二の間柱５ｂの間に、前記Ｄパネル４を前後方向に、２枚並列状に並べる工程を行い、固定することにより行うことができる。
【００２８】
さらに、例えば、左右に対向して立設した躯体柱１２の中心間の距離Ｍを所定モジュールの奇数倍とする場合に、前記所定モジュールと等しい長さＬ1と、所定の基準肉厚Ｔ1を有するＡパネル１と、前記所定モジュールから、前記躯体柱１２の左右方向の基準肉厚Ｔ12と、前記ボード１３の基準肉厚Ｔ13の２倍の長さと、第二クリア寸法を減算した長さＬ3を有するＣパネル３と、所定の長さＬ4と、前記Ａパネル１の基準肉厚Ｔ1と等しい肉厚Ｔ4を有するＤパネル４と、前記所定モジュールの半分から、前記躯体柱１２の左右方向の基準肉厚Ｔ12と、前記ボード１３の基準肉厚Ｔ13と、第一クリア寸法を減算した長さを有するＥパネルと、前記躯体柱１２の左右方向の基準肉厚Ｔ12と等しい左右方向の肉厚Ｌ5と、前記Ａパネル１の基準肉厚Ｔ1と等しい前後方向の肉厚Ｔ5を有する間柱５と、を揃え、
前記室内１０を左右方向に直線状に間仕切りするには、前記奇数から１を引いた数のＡパネル１と、１枚のＣパネルからなる組合わせを左右方向に直列状に並べて固定し、
前記室内１０を左右方向に段差を設けて間仕切りするには、前記間柱５のうち、第一の間柱５ａと第二の間柱５ｂを、前記室内１０の所定位置に前後方向に２本立設する工程と、前記第一の間柱５ａと左右一方側のボード１３との間に、前記Ｅパネルとα（α≦（前記奇数−１）枚のＡパネル１を左右方向に並べる工程と、前記第二の間柱５ｂと他方側のボード１３との間に、前記Ｅパネルとβ（β＝（前記奇数−１−α）枚のＡパネル１を左右方向に直列状に並べる工程と、前記第一の間柱５ａと第二の間柱５ｂの間に、前記Ｄパネル４を前後方向に、２枚並列状に並べる工程を行い、固定することもできる。
【図面の簡単な説明】
【００２９】
【図１】本発明の実施形態に係る室内の間仕切り方法によって、左右方向に直線状に間仕切りした室内を示す部分平面図である。
【図２】本発明の実施形態に係る室内の間仕切り方法によって、左右方向に段差を設けて間仕切りした室内を示す部分平面図である。
【図３】本発明の他の実施形態に係る室内の間仕切り方法によって、左右方向に直線状に間仕切りした室内を示す部分平面図である。
【符号の説明】
【００３０】
１      Ａパネル
２      Ｂパネル
３      Ｃパネル
４      Ｄパネル
５      間柱
５ａ    第一の間柱
５ｂ    第二の間柱
１０      室内
１１      構造壁
１２      躯体柱
１３      ボード
２０      専用空間部
Ｌ1      Ａパネルの長さ
Ｔ1      Ａパネルの基準肉厚
Ｌ2      Ｂパネルネルの長さ
Ｌ3      Ｃパネルの長さ
Ｌ4      Ｄパネルの長さ
Ｔ4      Ｄパネルの肉厚
Ｌ5      間柱の左右方向の肉厚
Ｔ5      間柱の前後方向の肉厚
Ｔ12      躯体柱の基準肉厚
Ｔ13      ボードの基準肉厚
Ｍ        躯体柱間の距離
Ｘ        整数
【図１】
2005290779.tif 000003
【図２】
2005290779.tif 000004
【図３】
2005290779.tif 000005